(57)【要約】      （修正有）【課題】フォークリフトの爪などとの接触による破損の可能性を低減すべく、パレット桁材に適した構造材を提供する。【解決手段】構造材１は、片面段ボールを巻物とした芯材２を紙管３に詰めた構造であり、外殻となる紙管３は形状保持力に優れており、片面段ボールを巻物とした芯材２は、軸方向の耐荷重性に優れ、また断熱性や柔軟性に優れている。従って、芯材２を円筒状の紙管３の中に挿入して芯材２の外周を紙管３の内周に圧接させた構造の構造材１は、外形的には角が無く、強度に優れたものとなる。外殻が円筒形で角が無い形状であるから平滑性に優れているため、この構造材１をパレット桁材とした場合には、フォークリフトの爪などとの接触による破損の可能性を低減できる。【選択図】図１
0003142099.tif 000002
【実用新案登録請求の範囲】
【請求項１】
片面段ボールを巻物とした芯材を円筒状の管の中に挿入して、前記芯材の外周を前記管の内周に圧接させた
ことを特徴とする構造材。
【請求項２】
前記芯材の端面と前記管の端面とは、共通の平面上に位置することを特徴とする請求項１記載の構造材。
【請求項３】
前記管は紙管であることを特徴とする請求項１又は２記載の構造材。
【請求項４】
前記芯材と前記管とは接着されていないことを特徴とする請求項１、２又は３記載の構造材。
【考案の詳細な説明】
【技術分野】
【０００１】
本考案は、管と芯材とからなる構造材の技術分野に属する。
【背景技術】
【０００２】
パレット桁材を紙製にすることがあった。
【特許文献１】特開２００１−３２８６３１
【考案の開示】
【考案が解決しようとする課題】
【０００３】
従来の紙製のパレット桁材は四角柱状とされていたので、すなわち角があるので、荷扱い時に、例えばフォークリフトのフォークが接触した場合などに、破損しやすかった。
【課題を解決するための手段】
【０００４】
請求項１記載の構造材は、
片面段ボールを巻物とした芯材を円筒状の管の中に挿入して、前記芯材の外周を前記管の内周に圧接させた
ことを特徴とする。
【０００５】
請求項１記載の構造材の外殻となる管は形状保持力に優れており、片面段ボールを巻物とした芯材は、軸方向の耐荷重性に優れ、また断熱性や柔軟性に優れている。従って、芯材を円筒状の管の中に挿入して芯材の外周を管の内周に圧接させた構造の構造材は、外形的には角が無く、強度に優れたものとなる。
【０００６】
外殻が円筒形で角が無い形状であるから平滑性に優れているため、この構造材をパレット桁材とした場合には、フォークリフトの爪などとの接触による破損の可能性を低減できる。
【０００７】
また、管のみであるとデッキ面との接着及び強度（上下方向、左右方向）に不安があるが、片面段ボールを巻物とした芯材を管の中に挿入してあるので、接着性も強度も十分なものになっている。
【０００８】
特に、芯材の外周を管の内周に圧接させているので、管の径方向に作用する力に対しても十分な強度が得られる。なお、巻物にされた片面段ボールの巻き戻ろうとする力が芯材の外周を管の内周に圧接させるので、芯材の外周を管の内周に圧接させるための特別な構成は必要ない。
【０００９】
また、管の径、肉厚、片面段ボールの材質等の組み合わせにより、用途に合わせての自由な設定が可能である。つまり、寸法や材質等の構成に自由度が高い。
請求項２記載の構造材は、前記芯材の端面と前記管の端面とは、共通の平面上に位置することを特徴とする請求項１記載の構造材である。
【００１０】
つまり、芯材の端面と管の端面とが、いわゆる「つらいち」になっているので、上下方向の荷重を芯材と管とで分担することになる。従って、この構造材は、上下方向に荷重が作用するパレット桁材に適している。
【００１１】
請求項３記載の構造材は、前記管は紙管であることを特徴とする請求項１又は２記載の構造材である。
管は、例えば鋼管、硬質の合成樹脂管でもよいが、管を紙管にすることで芯材と管とを共に紙製にでき、使用後の分別、処理又は再利用において有利である。また、焼却しても有害物が発生しないので、この点でも優れている。
【００１２】
請求項４記載の構造材は、前記芯材と前記管とは接着されていないことを特徴とする請求項１、２又は３記載の構造材である。
芯材と管とが接着されていないから、使用後における芯材と管との分別が容易である。
【考案を実施するための最良の形態】
【００１３】
次に、本考案の実施例等により考案の実施の形態を説明する。なお、本考案は下記の実施例等に限定されるものではなく、本考案の要旨を逸脱しない範囲でさまざまに実施できることは言うまでもない。
［実施例］
図１に示すように、本実施例の構造材１は、芯材２と紙管３とで構成されている。芯材２は、公知の片面段ボールを渦巻き状に巻いて巻物としたものである。紙管３は、板紙を螺旋状に重ね巻きしながら接着して形成した公知のものである。
【００１４】
なお、芯材２の端面は、紙管３の端から突出していないし、紙管３の端よりも中側になっているわけでもなく、芯材２の端面と紙管３の端面とは、いわゆる「つらいち」になっている。
【００１５】
構造材１は、図２に示すように、片面段ボールを渦巻き状に巻いて芯材２とし、それを紙管３に差し込んで紙管３の中に詰める。芯材２を紙管３に挿入すれば、巻物にされた片面段ボールが紙管３の中で巻き戻ろうとするので、芯材２の外周を紙管３の内周に圧接する。これえによる摩擦力が、芯材２を紙管３の中に保持する力として作用するので、抜け防止のための特別な構成は必要ない。
【００１６】
この構造材１は、図３に示すように、パレット６のパレット桁として、パレットデッキ７の下面に取り付けて使用される。
構造材１の外殻となる紙管３は形状保持力に優れており、片面段ボールを巻物とした芯材２は、軸方向の耐荷重性に優れ、また断熱性や柔軟性に優れている。従って、芯材２を円筒状の紙管３の中に挿入して芯材２の外周を紙管３の内周に圧接させた構造の構造材１は、外形的には角が無く、強度に優れたものとなる。
【００１７】
外殻が円筒形で角が無い形状であるから平滑性に優れているため、この構造材１をパレット桁材とした場合には、フォークリフトの爪などとの接触による破損の可能性を低減できる。
【００１８】
また、紙管３のみであるとパレットデッキ７との接着及び強度（上下方向、左右方向）に不安があるが、片面段ボールを巻物とした芯材２を紙管３の中に挿入してあるので、接着性も強度も十分なものになっている。
【００１９】
特に、芯材２の外周を紙管３の内周に圧接させているので、紙管３の径方向に作用する力に対しても十分な強度が得られる。
また、紙管３の径、肉厚、片面段ボールの材質等の組み合わせにより、用途に合わせての自由な設定が可能である。つまり、寸法や材質等の構成に自由度が高い。
【００２０】
また、芯材２の端面と紙管３の端面とが、いわゆる「つらいち」になっているので、上下方向の荷重を芯材２と紙管３とで分担することになる。従って、この構造材１は、上下方向に荷重が作用するパレット桁に適している。
【００２１】
更に、構造材１は、片面段ボールである芯材２と紙管３とで構成されているので、芯材２と紙管３とが共に紙製であるから、使用後の分別、処理又は再利用において有利である。また、焼却しても有害物が発生しないので、この点でも優れている。しかも、芯材２と紙管３とは接着されていないから、使用後における芯材２と紙管３との分別が容易である。また、芯材２又は紙管３の一方のみを交換することも可能である。
［その他］
本考案の構造材は、実施例に示したパレット桁に限らず、例えば仮設用の建材、家具類の脚、建具などに使用できる。ここに例示した用途に使用する場合は、紙管の外面に木目印刷したり、木目シートを貼り付けたりして、各用途に適した外観にすることもできる。
【００２２】
また、紙管や芯材（片面段ボール）にシロアリやネズミが忌避する薬剤や炭、乾燥剤などを担持させておくこともできる。
【図面の簡単な説明】
【００２３】
【図１】実施例の構造材の斜視図（ａ）、平面図（ｂ）。
【図２】実施例の構造材の製造手順の説明図。
【図３】実施例の構造材をパレット桁材としたパレットの説明図。
【符号の説明】
【００２４】
１・・・構造材、
２・・・芯材、
３・・・紙管、
６・・・パレット、
７・・・パレットデッキ。
【図２】
0003142099.tif 000003
【図３】
0003142099.tif 000004
【図１】
0003142099.tif 000005